(57)【要約】【課題】  信頼性が高く、より小型化できるリセプタクル、プラグ及びコネクタを提供すること。【解決手段】  本発明のリセプタクル２は、一面にコンタクト８が配設された突出部６を有するハウジング３と、ハウジング３を収容し一端に差込み口となる開口１１ａを有する筒状シールドケース１０とを備え、ハウジング３は、突出部６をコンタクト８が配設されていない面が筒状シールドケース１０の内壁面に接触するようにこの筒状シールドケース１０内に収容されている。【選択図】      図２
2007042398.tif 000002
【特許請求の範囲】
【請求項１】
一面にコンタクトが配設された突出部を有するハウジングと、前記ハウジングを収容し一端に差込み口を有する筒状シールドケースと、を備えたリセプタクルにおいて、
前記ハウジングは、前記突出部を前記コンタクトが配設されていない面を前記筒状シールドケースの内壁面に接触させてこのケース内に収容されていることを特徴とするリセプタクル。
【請求項２】
前記筒状シールドケースは差込口を横長矩形状に形成し、前記突出部は前記矩形状ケースの上壁内面又は下壁内面に接触されていることを特徴とする請求項１に記載のリセプタクル。
【請求項３】
前記突出部は長手方向に平行に複数の溝を設けた板状体からなり、該溝に複数本の平坦コンタクトが収容されていることを特徴とする請求項１又は２に記載のリセプタクル。
【請求項４】
ハウジング本体及び前記ハウジング本体の一端から延出した突出部を有し前記突出部の一面にコンタクトが配設されたハウジングと、該ハウジングを収容し一端に前記突出部を収納する筒状シール部を有する筒状シールドケースと、を備えたプラグにおいて、
前記ハウジングは前記ハウジング本体に設けられた貫通穴内に前記突出部に装着されたコンタクトを覆うシャッターを有するシャッター部材をスライド自在に収容し、前記筒状シールドケースの筒状シール部は前記突出部に装着されたコンタクトと対向する面に隙間を有することを特徴とするプラグ。
【請求項５】
前記突起部は長手方向に平行に複数の溝を設けた板状体からなり、該溝に複数本のコンタクトが収容されていることを特徴とする請求項４に記載のプラグ。
【請求項６】
前記請求項１〜３のいずれかに記載のリセプタクルと、前記請求項４又は５に記載のプラグと、からなるコネクタであって、
前記プラグと前記リセプタクルとの接続時には、前記リセプタクルの突出部により前記プラグのシャッター部材をスライドさせてリセプタクルのコンタクトとプラグのコンタクトとを接触接続させ、非接続時には前記プラグのコンタクトが前記シャッター部材で覆われていることを特徴とするコネクタ。
【発明の詳細な説明】
【技術分野】
【０００１】
本発明は、リセプタクル、プラグ及びこれらからなるコネクタに係り、特にハウジングがシールドケースで覆われたリセプタクル及びプラグを薄型にして小型化したコネクタに関するものである。
【背景技術】
【０００２】
ハウジングがシールドケースで覆われたリセプタクルとプラグとからなるコネクタは、種々のタイプのものが開発され、携帯電話機、パーソナルコンピュータ等の各種電子機器に使用されている（例えば、下記特許文献１参照）。
【０００３】
図９は下記特許文献１に記載されたリセプタクルを示したもので、図９（ａ）はリセプタクルの平面図、図９（ｂ）は正面図、図９（ｃ）は右側面図であり、図１０は図９（ｃ）のＸ１ーＸ２線の断面図である。
このリセプタクル５０は、図９、図１０に示すように、複数本のコンタクト６１が装着されるハウジング５１と、このハウジングが収容される筒状シールドケース５６とにより構成されている。
ハウジング５１は、ハウジング本体部５２と、このハウジング本体部５２から前方へ延出された延出部５３とからなり、全体が直方体形状をなし合成樹脂材により一体に形成されている。ハウジング本体部５２には、複数本のコンタクト６１が装着される複数本のコンタクト挿入孔５４が形成されている。また、延出部５３には、各コンタクト挿入孔５４から挿入されたコンタクト６１を所定位置に位置決めするためのコンタクト装着溝５５が形成されている。この構成により、複数本のコンタクト６１がハウジング本体部５２の挿入孔５４から差し込まれると、延出部５３のコンタクト装着溝５５内で位置決めされ固定される。
【０００４】
シールドケース５６は、ハウジング５１が挿入される大きさの筒状ケース５７からなり、導電性金属材で形成されている。この筒状ケース５７は、対向する側壁面にハウジングを固定する一対の固定片５８、５８が設けられている。上壁面には、プラグが差し込まれたとき、プラグを係止する係止片５９が設けられている。また、筒状ケース５７の底部には、ケースより外側に向け延出した鍔部６０、６０が形成されている。これらの鍔部６０、６０は、電子機器の基板に実装する際に、基板のグランド端子に接続されるものである。
【０００５】
この構成のハウジング５１、シールドケース５６は、ハウジング５１に複数本のコンタクト６１を装着し、このコンタクト６１が装着されたハウジング５１をシールドケース５６の後方開口から挿入し、固定片５８、５８により係止・固定して、リセプタクルが組み立てられる。このリセプタクル５０は、前方の差込口にプラグ（図示省略）が差し込まれて使用される。
【０００６】
【特許文献１】特開２００２−２９８９８４号公報
【発明の開示】
【発明が解決しようとする課題】
【０００７】
このリセプタクルに差し込まれるプラグは、リセプタクルのコンタクトに対応する数のコンタクトを備え、これらのコンタクトが筒状シール部材で囲まれた構成となっている。
リセプタクルは、このようなプラグが差し込まれるので、コンタクトが装着されたハウジングの延出部は、シールドケースの差込口のほぼ中央部に位置、すなわち筒状ケースの内壁面との間にプラグの筒状シール部材が挿入される隙間Ｇ（図１０参照）が形成されたところに位置している。
【０００８】
このような隙間が形成されると、この隙間分だけリセプタクルの高さが背高、すなわち大きくなってしまうことになる。リセプタクルが大きくなると、これに差込まれるプラグも大型になる。また、延出部は、ハウジング本体部から段部を経てシールドケース内に突出してシールドケースの差込口のほぼ中央部に位置しているので、延出部の先端が先細、すなわち垂直方向での断面積が小さくなっている。このため、この延出部にプラグとの接続時等に、過大な応力、例えばこじり力が加わると段部付近から折損する恐れがある。
【０００９】
この種のコネクタは、主に携帯電話機、パーソナルコンピュータ等の各種電子機器に使用されているが、近年、これらの電子機器は、種々のソフトウエアの開発により高機能化する一方で、小型、軽量化が進展しており、これらに装着されるコネクタも更に小型化、信頼性の向上が要求されてきている。しかしながら、これまでのコネクタでは、このような要求を満たすことが困難となっている。
【００１０】
そこで、本発明は、従来技術の課題を解決するとともに、上記の要求に対応できるようにしたもので、本発明の目的は、信頼性が高く、より小型化できるリセプタクル、プラグ及びコネクタを提供することにある。
【課題を解決するための手段】
【００１１】
上記目的を達成するために、本願の請求項１に記載のリセプタクルの発明は、一面にコンタクトが配設された突出部を有するハウジングと、前記ハウジングを収容し一端に差込み口を有する筒状シールドケースと、を備えたリセプタクルにおいて、
前記ハウジングは、前記突出部を前記コンタクトが配設されていない面を前記筒状シールドケースの内壁面に接触させてこのケース内に収容されていることを特徴とする。
【００１２】
また、本願の請求項２に記載の発明は、請求項１に記載のリセプタクルにおいて、前記筒状シールドケースは差込口を横長矩形状に形成し、前記突出部は前記矩形状ケースの上壁内面又は下壁内面に接触されていることを特徴とする。
【００１３】
また、本願の請求項３に記載の発明は、請求項１又は２に記載のリセプタクルにおいて、前記突出部は長手方向に平行に複数の溝を設けた板状体からなり、該溝に複数本の平坦コンタクトが収容されていることを特徴とする。
【００１４】
本願の請求項４に記載のプラグの発明は、ハウジング本体及び前記ハウジング本体の一端から延出した突出部を有し前記突出部の一面にコンタクトが配設されたハウジングと、該ハウジングを収容し一端に前記突出部を収納する筒状シール部を有する筒状シールドケースと、を備えたプラグにおいて、
前記ハウジングは前記ハウジング本体に設けられた貫通穴内に前記突出部に装着されたコンタクトを覆うシャッターを有するシャッター部材をスライド自在に収容し、前記筒状シールドケースの筒状シール部は前記突出部に装着されたコンタクトと対向する面に隙間を有することを特徴とする。
【００１５】
また、本願の請求項５に記載の発明は、請求項４に記載のプラグにおいて、前記突起部は長手方向に平行に複数の溝を設けた板状体からなり、該溝に複数本のコンタクトが収容されていることを特徴とする。
【００１６】
本願の請求項６に記載のコネクタの発明は、前記請求項１〜３のいずれかに記載のリセプタクルと、前記請求項４又は５に記載のプラグと、からなるコネクタであって、
前記プラグと前記リセプタクルとの接続時には、前記リセプタクルの突出部により前記プラグのシャッター部材をスライドさせてリセプタクルのコンタクトとプラグのコンタクトとを接触接続させ、非接続時には前記プラグのコンタクトが前記シャッター部材で覆われていることを特徴とする。
【発明の効果】
【００１７】
本発明は、上記構成を備えることにより以下に示すような優れた効果を奏する。すなわち、請求項１、２の発明によれば、ハウジングの突出部の一面、すなわちコンタクトが配設されていない面が筒状シールドケースの内壁面、例えば差込口が矩形状の場合は上壁内面又は下壁内面に接触しているので、従来技術のように延出部と筒状シールドケース間に設けていた隙間の一部がなくなり、この隙間が不要になった分リセプタクルを小型化できる。また、突出部の一面が筒状シールドケースの内壁面に接触することにより、突出部がシールドケースで支持され、プラグとの接続時に過大な応力、例えばこじり力が加わっても折損することがなくなる。
【００１８】
請求項３の発明によれば、板状体にコンタクトの収容溝を形成することにより、コンタクトの位置決め固定を安定にできる。また、この溝に収容するコンタクトが平坦なものであることから、コンタクトが溝から突出せず、リセプタクルを小型化できる。
【００１９】
請求項４の発明によれば、筒状シールドケースの筒状シール部が突出部に装着されたコンタクトと対向する面に隙間が形成され、この隙間は未使用時にはシャッター部材で覆われるので、シャッター部材によってコンタクトも覆われ、コンタクトへの異物等の付着、或いは物、例えば手が触れて手垢等が付着することがなくなり、コンタクト表面を清浄に保持し良好な接触面を維持できる。
また、使用時、すなわちリセプタクルとの接続時にはリセプタクルによりシャッター部材がスライド移動され、リセプタクルのコンタクトとプラグのコンタクトとが接触接続されるので、プラグを薄型化できる。
【００２０】
請求項５の発明によれば、板状体にコンタクトの収容溝を形成することにより、コンタクトの位置決め固定を安定にできる。また、この溝に収容するコンタクトが平坦なものであることから、プラグを小型化できる。
【００２１】
請求項６の発明によれば、請求項１〜３に記載の発明の効果を備えるリセプタクルと、請求項４又は５に記載の発明の効果を備えるプラグとからなるため、コンタクトの折損、及び汚染を良好に防止でき、小型化をも実現したコネクタを提供することができる。
【発明を実施するための最良の形態】
【００２２】
以下、図面を参照して本発明の最良の実施形態を説明する。但し、以下に示す実施形態は、本発明の技術思想を具体化するためのリセプタクル、プラグ及びコネクタを例示するものであって、本発明をこのリセプタクル、プラグ及びコネクタに特定することを意図するものではなく、特許請求の範囲に含まれるその他の実施形態のものも等しく適応し得るものである。例えば、このリセプタクル及びプラグは、ＵＳＢ規格に好適なものであるが、これに限定されるものではない。
【実施例１】
【００２３】
図１は本発明の実施形態に係るリセプタクルとプラグとからなるコネクタを示し、図１（ａ）はプラグとリセプタクルとの接続前の斜視図、図１（ｂ）は図１（ａ）のプラグのシャッターを開いた状態の斜視図、図２は本実施例に係るリセプタクルを示し、図２（ａ）はリセプタクルの斜視図、図２（ｂ）は図２（ａ）のＡ−Ａ断面図、図３はリセプタクルの分解斜視図である。
【００２４】
本実施例に係るコネクタ１は、図１に示すように、携帯電話機、パーソナルコンピュータ等の電子機器に装着されるリセプタクル２と、このリセプタクル２に接続されるプラグ２０とで構成されている。プラグ２０は、樹脂成型体４４によりモールドされてケーブル（図示省略）に接続されている。
【００２５】
リセプタクル２は、図２、図３に示すように、複数本のコンタクト８が取付けられるハウジング３と、このハウジング３が収容される筒状シールドケース１０とにより構成されている。
ハウジング３は、ハウジング本体部４と、このハウジング本体部４から前方へ延出された突出部６とからなり、全体が直方体形状をなし合成樹脂材により一体に形成されている。ハウジング本体部４は、所定の横幅、高さ及び長手方向の長さを有する直方体からなり、前面壁４ａの下端部付近から突出部６が前面壁４ａに対して垂直に延出され、背面部４ｂに複数本のコンタクト挿入孔５が形成されている。突出部６がハウジング本体部４の前面壁４ａの底部から突出すると、図２（ｂ）に示すように、シールドケース１０に装着された状態では、突出部６の底部６ａがシールドケース１０の内壁面に接触するので、従来技術で形成されている隙間Ｇをなくすることができる。これによりリセプタクル２は隙間Ｇの分だけ背低に形成できるとともに、突出部６が底部内壁面に支持されているので、この突出部６に例えばこじられる等して過大な応力がかかっても折損することがなくなる。
【００２６】
コンタクト挿入孔５は、ハウジング本体部４の背面部４ｂから前面壁４ａへ貫通するとともに、突出部６の凹状溝７に連通している。このハウジング本体部４は、両側壁面にガイド溝４ｃ、４ｃ（なお、図３では一方のガイド溝４ｃは隠れている。）が形成され、また、上壁面に係止溝４ｄが形成されている。
突出部６は、ハウジング本体部４の横幅より短長で所定の肉厚を有する板状体からなり、ハウジング本体部４の前面壁４ａの下端部付近から延出している。この板状体からなる突出部６の上面には、複数本のコンタクト８が挿入される複数本の凹状溝７が長手方向に所定の間隔をあけてほぼ平行に設けられている。
【００２７】
ハウジング３に装着されるコンタクト８は、図２、図３に示すように、プラグのコンタクトと接触し電気的な接続を行う接触片８ａと、端子部８ｂとを有し、所定長さの帯状導電片を折曲加工することにより形成される。接触片８ａは、直線状をなし、突出部６の凹状溝７に嵌め込まれる。
この構成により、複数本のコンタクト８がハウジング本体部４のコンタクト挿入孔５から差し込まれると、接触片８ａが突出部６の凹状溝７内で位置決めされ固定される。
【００２８】
筒状シールドケース１０は、図２、図３に示すように、上下壁面１０ａ、１０ｂ、両側壁面１０ｃ、１０ｄを有しハウジング３が挿入される大きさの貫通穴１１を有する横長の筒状体からなり、導電性金属材で形成されている。この筒状ケース１０は、その貫通孔１１の前方の開口１１ａがプラグ差込口、後方の開口１１ｂがハウジング３の挿入口となっている。前方の開口１１ａの外周端縁は、外方へ広がったガイド鍔部１１ａ'が形成されている。このガイド鍔部１１ａ'により、プラグ２０の差し込みが容易になる。
また、この筒状シールドケース１０は、対向する側壁面１０ｃ、１０ｄにハウジング３を固定する係止爪１５が設けられている。更に、上壁面１０ａには、ハウジング３を係止する係止爪１３、及びプラグ２０が差し込まれたとき、プラグ２０の係止爪４２、４２が係止される係止穴１４が設けられている。これらの各係止爪１３、１５は、それぞれ筒状シールドケース１０の一部をその内側に向けて湾曲させるように形成されている。
筒状シールドケース１０の底部には、外側に向け延出した一対の鍔部１２、１２が両側端の一部に形成されている。これらの鍔部１２、１２は、電子機器の基板（図示省略）に実装する際に、基板のグランド端子に接続されるものである。
【００２９】
このように構成したハウジング３及び筒状シールドケース１０は、ハウジング３に複数本のコンタクト８を装着し、このコンタクト８が装着されたハウジング３を筒状シールドケース１０の挿入口である後方の開口１１ｂから挿入し、係止爪１３により係止・固定することで、リセプタクル２が組み立てられる。
【００３０】
このリセプタクル２では、突出部６をハウジング本体部４の前面壁４ａの下端部付近から突出させているが、この位置に限定されることなく、前壁面４ａの上端部付近から突出させてもよい。前面壁４ａの上部から突出させると、筒状シールドケース１０に収容されたとき、突出部６は筒状シールドケース１０の上壁１０ａの内壁面に接触し、内壁面との間に隙間が形成されないので、リセプタクル２は背低となる。また、突出部６が筒状シールドケース１０の内壁面に支持されているので、この突出部６に例えばこじられる等して過大な応力がかかっても折損することがなくなる。
【００３１】
また、図４は本実施例にかかるプラグを示し、図４（ａ）はプラグの斜視図、図４（ｂ）は図４（ａ）の一部断面側面図、図５はプラグの分解斜視図、図６は図５のプラグを裏側から見た分解斜視図である。
本実施例に係るプラグ２０は、図５、図６に示すように、複数本のコンタクト３４及びシャッター部材３０が装着されるハウジング２１と、このハウジングに差し込まれるシャッター部材３０と、このシャッター部材３０及びコンタクト３４が組み込まれたハウジング２１が収容されるシールドケース３６と、により構成されている。
ハウジング２１は、ハウジング本体部２２と、このハウジング本体部から前方へ延出された突出部２５とからなり、全体が直方体形状をなし、合成樹脂材により一体に形成されている。
【００３２】
ハウジング本体部２２は、リセプタクル２のハウジング本体部４とほぼ同じ形状を有する直方体からなり、前面壁２２ａの上端部付近から突出部２５が延出され、背面部２２ｂに複数本のコンタクト３４及びシャッター部材３０を収容できる大きさの空洞２４が形成されている。突出部２５は、リセプタクル２の突出部６の突出位置に合わせて形成される。すなわち、リセプタクル２の突出部６が下端部付近に位置する場合は、プラグ２０の突出部２５はハウジング本体部２２の上端部付近に形成し、図７に示すように、プラグ２０とリセプタクル２との結合時に各突出部２５及び６が対向配置するようになっている。また、空洞２４の入口は、シャッター部材３０が挿入される大きさを有し、奥部は、中心部にシャッター部材３０のシッター３２が挿通される開穴２３が形成され、この開穴２３の外周囲は前面壁２２ａで塞がれている。この構成により、シャッター部材３０が押し込まれても基台３１が開穴２３の外周囲に位置する前面壁２２ａの内壁に衝突し開穴２３から飛び出ることがない。
【００３３】
突出部２５は板状体からなり、図５、図６に示すように、この板状体の一面、すなわち、図５における裏面に複数本のコンタクト３４が挿入される複数本の凹状溝２６が長手方向に所定の間隔をあけてほぼ平行に設けられている。また、突出部２５には、長手方向の両側端にガイド溝２７、２７が形成されている。このガイド溝２７、２７には、シャッター３２のガイド突起３３がスライド自在に嵌合される。
【００３４】
ハウジング２１に装着されるコンタクト３４は、図５、図６に示すように、リセプタクル２のコンタクト８と接触し電気的な接続を行う接触片３４ａと、端子部３４ｂとを有し、所定長さの帯状導電片を折曲加工することにより形成されている。接触片３４ａは、その先端部が折曲されている。この折曲により接触片３４ａにバネ性が付与され、リセプタクル２のコンタクト８と圧接接続されるようになる。
【００３５】
シャッター部材３０は、図５、図６に示すように、突出部２５に装着されたコンタクト３４を覆うシャッター３２と、このシャッター３２の一端に固定された基台３１と、この基台を押圧する一対のスプリング３５、３５とからなり、ハウジング本体部２２の空洞２４内にスライド自在に収容される。シャッター３２と基台３１とは合成樹脂材により一体成形されている。
シャッター３２は、ハウジング２１の突出部２５とほぼ同じ幅長、長さを有する板状体からなり、長手方向の両側縁にガイド突起３３、３３が形成されている。
基台３１は、図５、図６に示すように、スプリング３５、３５が圧接される端部３１ａ、３１ａと、この端部３１ａ、３１ａ間に位置し、コンタクトが挿入される幅広の凹状溝３１ｂを有し、ハウジング２１の空洞２４内に収容されスライドできる大きさに形成されている。
この構成により、シャッター部材３０は、基台３１がハウジング２１の空洞２４内で長手方向へスライドでき、この基台３１のスライドにより、シャッター３２が突出部２５のガイド溝２７、２７内をスライド移動される。
【００３６】
シールドケース３６は、図５、図６に示すように、ハウジング２１の形状に合わせ、ハウジング本体部２２が収容されるケース本体部３７と、ハウジング２１の突出部２５及びシャッター部材３０のシャッター３２が収容される筒状カバー部４０とからなり、ケース本体部３７と筒状カバー部４０とは、結合片３９により一体に結合され、導電性金属、例えば銅合金等の板体を折曲加工することにより形成されている。
ケース本体部３７は、長手方向に貫通する貫通孔を有する矩形状の筒状体からなり、細長の開口を有し、後部の開口はハウジング本体部２２が挿入される挿入口となっている。また、前方の開口３８には、両側にハウジング本体の抜け止め片３７ａ、３７ａが設けられている。
筒状カバー部４０は、底部に幅広の隙間４１を有する扁平なＣ型断面となった筒状体、すなわち長手方向と直交する方向で切断した断面がほぼＣ型をなし、ハウジング２１の突出部２５及びシャッター３２が収容されたときシャッター３２でこの隙間４１が覆われるようになっている。更に詳述すると、この筒状カバー部４０内にハウジング２１の突出部２５及びシャッター３２が挿入されたとき、シャッター３２は、幅広の隙間４１をスライド自在に覆い、リセプタクル２との非接続時は隙間４１を覆ってコンタクト３４をカバーし、接続時にはハウジング本体部２２内へスプリング３５、３５の付勢力に抗して押し込まれて隙間４１が開きコンタクト３４が露出されるようになっている。また、この筒状カバー部４０は、その上面壁４０ａにリセプタクル２の係止穴１４に係止する一対の係止爪４２、４２が形成されている。
【００３７】
このプラグ２０の組み立ては、先ず、ハウジング２１内に複数本のコンタクト３４を装着する。これにより、コンタクト３４は突出部２５の凹状溝２６内に収納され、位置決め固定される。次いで、シャッター部材３０をハウジング本体部２２の空洞２４内へ挿入し、シャッター３２を突出部２５のガイド溝２７に嵌合させるとともに、各基台３１の端部３１ａ、３１ａをスプリング３５、３５を圧縮して空洞２４内に固定する。これにより、シャッター部材３０はハウジング２１の突出部２５に収納されたコンタクト３４を覆うとともに、シャッター３２が各ばね体３５、３５に抗してスライド可能になる。ハウジング２１にシャッター部材３０を装着した後に、この組立体をシールドケース３６のケース本体部３７の挿入口から挿入し、シャッター３２で覆われた突出部２５を筒状カバー部４０内へ挿入し固定する。すると、シャッター３２は、筒状カバー部４０の隙間４１を覆うことになる。
【００３８】
次に、リセプタクル２とプラグ２０との接続方法を説明する。図７はリセプタクルとプラグとを接続した状態での断面図である。
リセプタクル２の差込口１１ａにプラグ２０を差し込むと、プラグ２０のシャッター３２がリセプタクル２の突出部６の先端に当たり、このシャッター３２は、スプリング３５、３５の付勢力に抗してハウジング本体部２２の空洞２４内へ押し込まれる。シャッター３２が押し込まれると、プラグ２０のコンタクト３４が筒状カバー部４０の隙間４１から出現して、リセプタクル２のコンタクト８と接触し電気的接続がなされる。
この構成によると、リセプタクル２の突出部６の一面、すなわち、コンタクトが装着されていない面が筒状シールドケース１０の内壁面に接触しているので、従来技術のように隙間Ｇが形成されないので、リセプタクル２の縦方向の高さが低くなり、背低で薄型になるので、プラグ２０を含めたコネクタ１全体が小型化される。
【００３９】
また、このプラグ２０は、上記のリセプタクル２だけでなく、公知のリセプタクル、例えば、図９に示されたようなリセプタクルにも使用できる。図８は公知のリセプタクルと本発明のプラグとを接続した状態での断面図である。
プラグ２０をリセプタクル５０に差し込むと、プラグ２０のシャッター３２の先端が、リセプタクルの延出部５１の先端に当たり、シャッター３２がスプリング３５、３５の付勢力に抗して押し込まれ、代わってコンタクト３４が隙間４１から出現して、リセプタクル５０のコンタクト５４と接触し電気的接続がなされる。よってプラグ２０は、本実施例のリセプタクル２だけでなく、公知のリセプタクル、例えば、図９に示されたようなリセプタクル５０にも使用できるので、使用範囲が広くなる。
【図面の簡単な説明】
【００４０】
【図１】図１は本発明の実施形態に係るリセプタクルとプラグとからなるコネクタを示し、図１（ａ）はプラグとリセプタクルとの接続前の斜視図、図１（ｂ）は図１（ａ）のプラグのシャッターを開いた状態の斜視図、
【図２】図２は本実施例に係るリセプタクルを示し、図２（ａ）はリセプタクルの斜視図、図２（ｂ）は図２（ａ）のＡ−Ａ断面図、
【図３】図３はリセプタクルの分解斜視図、
【図４】図４は本実施例に係るプラグを示し、図４（ａ）はプラグの斜視図、図４（ｂ）は図４（ａ）の一部断面側面図、
【図５】図５はプラグの分解斜視図、
【図６】図６は図５のプラグを裏側から見た分解斜視図、
【図７】図７はリセプタクルとプラグとを接続した状態での断面図、
【図８】図８は公知のリセプタクルと本発明のプラグとを接続した状態での断面図、
【図９】図９は従来技術のリセプタクルを示したもので、図９（ａ）はリセプタクルの平面図、図９（ｂ）は正面図、図９（ｃ）は右側面図、
【図１０】図１０は図９（ｃ）のＸ１ーＸ２線の断面図、である。
【符号の説明】
【００４１】
１    コネクタ
２    リセプタクル
３    ハウジング
４    ハウジング本体部
６    突出部
８    コンタクト
１０  筒状シールドケース
２０  プラグ
２１  ハウジング
２２  ハウジング本体部
２５  突出部
３０  シャッター部材
３２  シャッター
３６  シールドケース
４０  筒状カバー部
４１  隙間
【図１】
2007042398.tif 000003
【図２】
2007042398.tif 000004
【図３】
2007042398.tif 000005
【図４】
2007042398.tif 000006
【図５】
2007042398.tif 000007
【図６】
2007042398.tif 000008
【図７】
2007042398.tif 000009
【図８】
2007042398.tif 000010
【図９】
2007042398.tif 000011
【図１０】
2007042398.tif 000012